(57)【要約】【課題】生活環境や仕事環境が変化した現代社会において、サーカディアンリズムを調整し、ユーザの心身の健康を維持及び増進することが可能な生体リズム調整装置などを提供すること。【解決手段】眼鏡型ウェアラブルデバイス１０は、ユーザの眼に、３６０ｎｍ以上４００ｎｍ以下の第１波長範囲内の第１特殊光を照射するＶＬ（バイオレットライト）、及び、４６０ｎｍ±２０ｎｍの第２波長範囲内のＢＬ（ブルーライト）を照射する光源１１及び１２を有し、光源１１及び１２の発光をユーザの設定、行動予定、過去の行動履歴、実世界における日照などに基づいてＢＬ及びＶＬの照射を制御する構成を有している。【選択図】図１
2020010775.tif 000002
【特許請求の範囲】
【請求項１】
ユーザの生体リズムを調整する生体リズム調整装置であって、
前記ユーザの眼に対して、３６０ｎｍ以上４００ｎｍ以下の第１波長範囲内の第１特殊光を照射する第１光源を少なくとも有する照射手段と、
前記照射手段により前記ユーザの眼に前記第１特殊光を照射する際の条件を示す条件データを取得する取得手段と、
前記取得した条件データに従って、前記照射手段を制御して、前記ユーザの眼に前記第１特殊光を照射させる制御手段と、
を有することを特徴とする生体リズム調整装置。
【請求項２】
請求項１に記載の生体リズム調整装置において、
前記照射手段が、
前記ユーザの眼に対して、４６０ｎｍ±２０ｎｍの第２波長範囲内の第２特殊光を照射する第２光源をさらに有し、
前記取得手段が、
前記条件データとして、前記照射手段により前記第１特殊光及び前記第２特殊光を前記ユーザの眼に照射する際の基準となるデータを取得し、
前記制御手段が、
前記取得した条件データに従って、前記ユーザの眼に前記第１特殊光とともに前記第２特殊光を照射させる、生体リズム調整装置。
【請求項３】
請求項２に記載の生体リズム調整装置において、
前記制御手段が、
太陽光に含まれる前記第１特殊光及び第２特殊光の割合によって、前記第１特殊光及び第２特殊光を前記ユーザの眼に照射させる、生体リズム調整装置。
【請求項４】
請求項１〜３のいずれか１項に記載の生体リズム調整装置において、
前記取得手段が、
前記条件データとして、ユーザの所在地域における日照に関する日照情報を含むデータを取得し、
前記制御手段が、
前記日照情報に基づき、当該所在地域における日中の時間帯を特定するとともに、当該特定した日中の時間帯に少なくとも前記特殊光を前記ユーザの眼に照射させる、生体リズム調整装置。
【請求項５】
請求項１〜４のいずれか１項に記載の生体リズム調整装置において、
前記取得手段が、
前記条件データとして、前記ユーザの行動予定を示す行動予定データを取得し、
前記制御手段が、
前記取得した行動予定データに従って、少なくとも前記第１特殊光を照射させる、生体リズム調整装置。
【請求項６】
請求項５に記載の生体リズム調整装置において、
前記ユーザが、時差のある地域間を移動する場合に、
前記取得手段が、
移動先の地域に関する移動先地域情報を含む前記行動予定データを取得し、
前記制御手段が、
前記移動先地域情報に基づき、前記移動先の地域における日中の時間帯を特定し、当該特定した日中の時間帯に少なくとも前記第１特殊光を照射させる、生体リズム調整装置。
【請求項７】
請求項５に記載の生体リズム調整装置において、
ユーザが睡眠を禁止する睡眠禁止期間が存在する場合に、
前記取得手段が、
当該睡眠禁止期間を示す睡眠禁止期間情報を含む前記行動予定データを取得し、
前記制御手段が、
前記睡眠禁止期間中、少なくとも前記第１特殊光を照射させる、生体リズム調整装置。
【請求項８】
請求項５〜７のいずれか１項に記載の生体リズム調整装置において、
前記行動予定データを記録した第１記録手段をさらに有し、
前記取得手段が、
前記第１記録手段に記録された前記行動予定データを取得する、生体リズム調整装置。
【請求項９】
請求項１〜８のいずれか１項に記載の生体リズム調整装置において、
前記ユ−ザの眼に近接して装着可能な構成を有し、
ユーザの顔に装着した状態において、前記照射手段を構成する前記第１光源及び第２光源の少なくとも一方が、ユーザの眼に相対する位置に配設されている、生体リズム調整装置。
【請求項１０】
ユーザの眼に近接して装着され、当該ユーザの眼に３６０ｎｍ以上４００ｎｍ以下の第１波長範囲内の第１特殊光を照射する光源を少なくとも有するウェアラブルデバイスと、
前記ウェアラブルデバイスにおける前記第１特殊光の照射を制御する制御装置と、
を有し、
前記制御装置が、
前記ウェアラブルデバイスにより前記ユーザの眼に前記第１特殊光を照射する際の条件を示す条件データを取得し、当該取得した条件データに従って前記ユーザの眼に前記第１特殊光を照射させることを特徴とする生体リズム調整システム。
【発明の詳細な説明】
【技術分野】
【０００１】
本発明は、ユーザの生体リズムを調整する生体リズム調整装置、生体リズム調整システム及び生体リズム調整器具などに関する。
【背景技術】
【０００２】
生活環境中には様々な波長の光が存在している。そうした光は、人の身体や心に影響することが報告されている。
【０００３】
例えば、非特許文献１では、太陽光を浴びることにより体内時計が改善されること等が報告されている。
【０００４】
また、非特許文献２では、近年の生活環境に存在するＬＥＤ照明や、ＬＥＤをバックライトに使用した液晶ディスプレイ等から発する光が、身体や心に大きく影響することについて報告されている。
【０００５】
さらに、非特許文献３には、３８０ｎｍ以上５００ｎｍ以下の波長範囲の光が、人の身体や心に影響を与え、特に４６０ｎｍの光がサーカディアンリズムをコントロールする役割を果たすことについて開示されている。
【先行技術文献】
【非特許文献】
【０００６】
【非特許文献１】羽鳥  恵、坪田一男、アンチ・エイジング医学−日本抗加齢医学会雑誌、Ｖｏｌ．１１、Ｎｏ．３、０６５（３８５）−０７２（３９２），（２０１５）
【非特許文献２】坪田一男、「ブルーライト  体内時計への脅威」、集英社、２０１３年１１月２０日発行
【非特許文献３】ブルーライト研究会、“ブルーライトとは”［平成２９年１２月１０日検索］、インターネット＜ＵＲＬ: ｈｔｔｐ：／／ｂｌｕｅ−ｌｉｇｈｔ．ｂｉｚ／ａｂｏｕｔ＿ｂｌｕｅｌｉｇｈｔ＞
【発明の概要】
【発明が解決しようとする課題】
【０００７】
このような現代の生活環境においては、非特許文献１〜３に記載のように、特定波長の光が身体や心に影響し、サーカディアンリズムに影響する一方、各種の電気・電子機器から幅広い波長範囲の光がユーザの眼に照射されるので、これらの光によってサーカディアンリズムに乱れが生じ、当該サーカディアンリズムを正常な状態に保つことが難しい。
【０００８】
本発明は、上記課題を解決するためになされたものであり、その目的は、特定波長の光をユーザに意図的に照射することによって、サーカディアンリズムを調整し、ユーザの心身の健康を維持及び増進することが可能な生体リズム調整装置などを提供することにある。
【課題を解決するための手段】
【０００９】
（１）上記課題を解決するため、本発明は、
ユーザの生体リズムを調整する生体リズム調整装置であって、
前記ユーザの眼に対して、３６０ｎｍ以上４００ｎｍ以下の第１波長範囲内の第１特殊光を照射する第１光源を少なくとも有する照射手段と、
前記照射手段により前記ユーザの眼に前記第１特殊光を照射する際の条件を示す条件データを取得する取得手段と、
前記取得した条件データに従って前記照射手段を制御し、前記ユーザの眼に前記第１特殊光を照射させる制御手段と、
を有する構成を有している。
【００１０】
この構成により、本発明は、サーカディアンリズムに影響する３６０ｎｍ以上４００ｎｍ以下の第１特殊光を意図的にユーザの眼に照射することができるので、生活環境などによって異常が発生したユーザのサーカディアンリズムを強制的に調整することができる。
【００１１】
したがって、本発明は、生活環境などに合わせて睡眠時間帯や覚醒時間帯をコントロールすることができるので、あらゆる生活シーンにおいて、ユーザの心身の健康を維持及び増進をすることができる。
【００１２】
（２）また、本発明は、
前記照射手段が、
前記ユーザの眼に対して、４６０ｎｍ±２０ｎｍの第２波長範囲内の第２特殊光を照射する第２光源をさらに有し、
前記取得手段が、
前記条件データとして、前記照射手段により前記第１特殊光及び前記第２特殊光を前記ユーザの眼に照射する際の基準となるデータを取得し、
前記制御手段が、
前記取得した条件データに従って、前記ユーザの眼に前記第１特殊光とともに前記第２特殊光を照射させる構成を有している。
【００１３】
この構成により、本発明は、サーカディアンリズムに影響する３８０ｎｍ以上５００ｎｍ以下の波長範囲内の光において、４６０ｎｍ以上±２０ｎｍの第２波長範囲内の第２特殊光は、特にサーカディアンリズムに強く影響することから、第１特殊光とともに、第２特殊光をユーザの眼に照射することにより、ユーザのサーカディアンリズムを調整する効果を高めることができる
【００１４】
（３）また、本発明は、
前記制御手段が、
太陽光に含まれる前記第１特殊光及び第２特殊光の割合にて、前記第１特殊光及び第２特殊光を前記ユーザの眼に照射させる構成を有している。
【００１５】
この構成により、本発明は、太陽光に似た光を再現しつつ、第１特殊光及び第２特殊光をユーザの眼に照射できるので、サーカディアンリズムをより効果的に整えることができる。
【００１６】
（４）また、本発明は、
前記取得手段が、
前記条件データとして、ユーザの所在地域における日照に関する日照情報を含むデータを取得し、
前記制御手段が、
前記日照情報に基づき、当該所在地域における日中の時間帯を特定するとともに、当該特定した日中の時間帯に少なくとも前記特殊光を前記ユーザの眼に照射させる、構成を有している。
【００１７】
この構成により、本発明は、日中の時間帯に少なくとも第１特殊光をユーザの眼に照射できるので、サーカディアンリズムの乱れを正すことができる。
【００１８】
（５）また、本発明は、
前記取得手段が、
前記条件データとして、前記ユーザの行動予定を示す行動予定データを取得し、
前記制御手段が、
前記取得した行動予定データに従って、少なくとも前記第１特殊光を照射させる構成を有している。
【００１９】
この構成により、本発明は、ユーザの行動予定に合わせてサーカディアンリズムを調整することができる。
【００２０】
（６）また、本発明は、
前記ユーザが、時差のある地域間を移動する場合に、
前記取得手段が、
移動先の地域に関する移動先地域情報を含む前記行動予定データを取得し、
前記制御手段が、
前記移動先地域情報に基づき、前記移動先の地域における日中の時間帯を特定し、当該特定した日中の時間帯に少なくとも前記第１特殊光を照射させる構成を有している。
【００２１】
この構成により、本発明は、時差のある地域にユーザが移動（渡航）する場合においてもジェットラグ症候群の発症を効果的に抑制することができる。
【００２２】
（７）また、本発明は、
ユーザが睡眠を禁止する睡眠禁止期間が存在する場合に、
前記取得手段が、
当該睡眠禁止期間を示す睡眠禁止期間情報を含む前記行動予定データを取得し、
前記制御手段が、
前記睡眠禁止期間中、少なくとも前記第１特殊光を照射させる、構成を有している。
【００２３】
この構成により、本発明は、睡眠禁止期間における覚醒を促し、業務効率の改善と業務上のミスの発生を防止することができる。
【００２４】
なお、「睡眠禁止期間」としては、同日の一定期間であってもよいし、２日以上の日を跨いで定義される期間であってもよい。
【００２５】
（８）また本発明は、
前記行動予定データを記憶した第１記憶手段をさらに備え、
前記取得手段が、
前記第１記憶手段に記憶された前記行動予定データを取得する、構成を有している。
【００２６】
この構成により、本発明は、予めデータベース等に記憶された予定情報を用い、処理を高速化できる。
【００２７】
（９）また、本発明は、
前記ユ−ザの眼に近接して装着可能な構成を有し、
ユーザの顔に装着した状態において、前記照射手段を構成する前記第１光源及び第２光源の少なくとも一方が、ユーザの眼に相対する位置に配設されている、構成を有している。
【００２８】
この構成により、本発明は、眼鏡型のウェアラブルデバイスとして生体リズム調整装置を構成し、ユーザの眼に少なくとも第１特殊光を照射できるので、必要量の光を確実にユーザの眼に照射することができる。
【００２９】
（１０）また、本発明の生体リズム調整システムは、
ユーザの眼に近接して装着され、当該ユーザの眼に３６０ｎｍ以上４００ｎｍ以下の第１波長範囲内の第１特殊光を照射する光源を少なくとも有するウェアラブルデバイスと、
前記ウェアラブルデバイスにおける前記第１特殊光の照射を制御する制御装置と、
を有し、
前記制御装置が、
前記ウェアラブルデバイスにより前記ユーザの眼に前記第１特殊光を照射する際の条件を示す条件データを取得し、当該取得した条件データに従って前記ユーザの眼に前記第１特殊光を照射させる構成を有している。
【００３０】
この構成により、本発明は、ウェアラブルデバイスによりユーザの眼に第１特殊光を照射させることができるので、ユーザのサーカディアンリズムを調整することができる。
【図面の簡単な説明】
【００３１】
【図１】本願の第１実施形態における生体リズム調整装置の一例を示す外観図である。
【図２】第１実施形態における生体リズム調整装置の構成例を示すブロック図である。
【図３】パルス的に与えたバイオレットライトのエネルギー変化に応じたマウスの活動量の変化を示す動物実験の結果及びその実験条件を示す図である。
【図４】マウスを使用した動物実験において、グループＡに属するマウスの活動量の計測結果を示すアクトグラム及びグループＢに属するマウスの活動量の計測結果を示すアクトグラムを示す図である。
【図５】マウスを使用した動物実験により得られたサーカディアンリズムの位相シフト量を示すグラフである。
【図６】太陽光の国際標準データ「ＡＭ１．５Ｇ」を示す図であり、国際標準データにおける分光放射照度のスペクトル及び分光放射照度の比、及び、太陽光に含まれるブルーライト及びバイオレットライトの単位波長当たりの放射照度を示す図である。
【図７】本願の第２実施形態の生体リズム調整システム１００の構成例を示すシステム構成図である。
【図８】本願の第４実施形態の通信システムＳの構成例を示すシステム構成図である。
【図９】第４実施形態の通信端末装置の構成例を示すブロック図である。
【図１０】第４実施形態の通信端末装置のアプリケーション実行部において実行される処理を示すフローチャートである。
【発明を実施するための形態】
【００３２】
以下、本発明の実施形態について説明する。なお、以下に説明する実施形態は、特許請求の範囲に記載された本発明の内容を不当に限定するものではない。また、以下の実施形態で説明される構成の全てが、本発明の必須構成要件であるとは限らない。
【００３３】
［１］第１実施形態
［１．１］概要
まず、図１又は図２を用いて、本願に係る生体リズム調整装置又は生体リズム調整システムの第１実施形態について説明する。なお、図１は、本実施形態の生体リズム調整装置１の外観を示す図であり、図２は、本実施形態の生体リズム調整装置の構成を示すブロック図である。
【００３４】
本実施形態の生体リズム調整装置１は、ユーザの眼に対して、所定の波長範囲内の光を照射し、生活環境などによって異常が発生したユーザのサーカディアンリズムを強制的に調整し、生活環境などに合わせて睡眠する時間帯や覚醒する時間帯をコントロールするなど、ユーザの生体リズムを調整する装置である。
【００３５】
特に、本実施形態の生体リズム調整装置１は、
（１）ユーザの眼に対して、３６０ｎｍ以上４００ｎｍ以下の第１波長範囲内の第１特殊光を照射する第１光源を少なくとも有し、
（２）ユーザの眼に第１特殊光を照射する際の条件を示す条件データを取得し、
（３）取得した条件データに従って、第１特殊光の照射を制御する、
構成を有している。
【００３６】
一般的に、「サーカディアンリズム」（概日リズム、又は、体内時計ともいう。）は、約２４時間周期で変動する生理現象をいい、当該サーカディアンリズムに異常が生じると、食欲、眠気、睡眠等に影響を及ぼすため、ストレスがたまり、また、体調を崩す原因となる。
【００３７】
このため、主に日中（日の出から日の入りまでの日が出ている時間帯）に太陽光を浴びることにより、サーカディアンリズムを安定させることが健康の維持及び増進には必要とされている。
【００３８】
また、人間の眼は、視細胞としての錐体細胞及び桿体細胞を有し、色を知覚するのみならず、非視覚的作業も行う。例えば、メラノプシン含有網膜神経節細胞（ｍＲＧＣ：ｍｅｌａｎｏｐｓｉｎ  ｃｏｎｔａｉｎｉｎｇ  ｒｅｔｉｎａｌ  ｇａｎｇｌｉｏｎ  ｃｅｌｌ）は、４６０ｎｍ±２０ｎｍの範囲内の波長の光で最も強く作用し、サーカディアンリズムに影響を与えることが知られている。
【００３９】
例えば、最近では、この種の睡眠障害を改善するため、メラトニン分泌と光の関係に着目した、治療法であって、白色光などのＢＬを含む強い光（５０００ルクス〜１００００ルクス）を人為的に患者に照射することにより、メラトニンの分泌タイミングをコントロールし、外界環境と睡眠相とのずれを補正する治療法（光療法、ライトセラピーとも呼ばれる）も提案及び実施され、睡眠相後退症候群などのサーカディアンリズム睡眠障害や冬期性うつなどにも効果を発揮している。
【００４０】
具体的には、ｍＲＧＣが４６０ｎｍ±２０ｎｍの波長範囲内のような４６０ｎｍを含む光（以下、「ブルーライト」又は、「ＢＬ」ともいう。）を受光すると、体内時計を司る脳の視交叉上核により、上頚部交感神経節を介して松果体に信号が伝達される。
【００４１】
したがって、松果体におけるメラトニン分泌が抑制されることによって覚醒状態となり、サーカディアンリズムがリセットされることが広く知られている。
【００４２】
この結果、日中の時間帯（特に、朝から午前中にかけての時間帯）に太陽光を浴び、ｍＲＧＣによりＢＬが受光されると、サーカディアンリズムがリセットされ、正常な状態（例えば、６：００〜８：００の間に覚醒し、２１：００〜２４：００の間に眠気を催すような、通常の社会生活を送る上で障害とならない状態）にサーカディアンリズムを整えることが可能になる。
【００４３】
また、サーカディアンリズムを整える光としては、ＢＬのみならず、３６０ｎｍ以上４００ｎｍ以下の波長範囲内のような３８０ｎｍの波長光を含む光（以下、「バイオレットライト」又は、「ＶＬ」という。）を照射した場合にも、同様にサーカディアンリズムの位相がシフトし、サーカディアンリズムのリセット及び調整を行えることが実験によって分かっている。
【００４４】
特に、本発明者は、ＢＬとは異なり、３６０ｎｍ以上４００ｎｍ以下の波長範囲内のような３８０ｎｍの波長光を含むＶＬを照射した場合にも、ＢＬを照射した場合と同様にサーカディアンリズムの位相がシフトし、サーカディアンリズムのリセット及び調整が可能であることを確認した。
【００４５】
この実験は、マウスに対してＶＬを短時間照射することにより、少ないエネルギー量のＶＬをマウスに照射しつつ、その活動量の変化をモニタリングしたものである。なお、実験において観察されたマウスの活動量の変化を図４に示す。
【００４６】
後述するように、ＶＬを照射することによって、マウスの活動量が変化し、サーカディアンリズムの位相がずれていることが分かる。また、この実験結果から、被検体に照射するＶＬのエネルギー量が低くても、サーカディアンリズムのリセット及び調整に効果があることが判明した。
【００４７】
上記に加えて、本発明者は、ＶＬを照射した場合における人体における影響についても調査した。
【００４８】
具体的には、当該調査においては、日中の時間帯に被検者の眼に３１０μＷ／ｃｍ２のＶＬを２時間照射し、照射した日の睡眠時における被検者の寝返り頻度や動きをセンサにより検出することによって、レム睡眠とノンレム睡眠のサイクルをモニタリングし、ＶＬ照射が被検者の睡眠の質に与える影響を調査した。
【００４９】
同様の条件にて、複数人の被検者を対象とした調査を約６ヶ月間にわたって、毎日繰り返したところ、全ての被検者において、睡眠の質が向上し、次の日の朝の目覚めが良くなることが判明した。
【００５０】
このことは、ＶＬの照射が人間のサーカディアンリズムの乱れを整える効果を発揮していることを示している。
【００５１】
なお、ＶＬがサーカディアンリズムに影響を与えるメカニズムは、ＢＬと同様に、ｍＲＧＣが寄与している可能性もあるが、ｍＲＧＣは、４６０ｎｍに感受性のピークがあり、ＶＬの波長領域における感受性は高くない。したがって、ＶＬのサーカディアンリズム調整機能には、ｍＲＧＣとは別の網膜細胞が寄与している可能性が高いことが推認される。
【００５２】
一方、現代社会においては、スマートフォンなどの情報通信端末装置が劇的に普及し、我々は、昼夜を問わず、スマートフォン、ゲーム機、パーソナルコンピュータ、又は、テレビ等の表示装置に顔を向けて視聴する生活習慣が身についている。
【００５３】
この種の表示装置から発せられる光は、ＢＬの波長帯の光を含んでいるため、夜の遅い時間にこの種の表示装置を利用すると、本来寝るべき時間になっても、松果体におけるメラトニン分泌が抑制されてしまう。
【００５４】
したがって、このような生活習慣により、サーカディアンリズムが乱れ、睡眠相後退症候群などのサーカディアンリズム原因の睡眠障害（概日リズム睡眠障害）が発生する原因となっている。
【００５５】
そこで、本実施形態の生体リズム調整装置１は、ＶＬ及びＢＬがサーカディアンリズムに与える影響を利用して、ユーザのサーカディアンリズムの乱れを正し、生活環境などに合わせて睡眠時間帯や覚醒時間帯をコントロールすること、及び、その結果、ユーザの心身の健康を維持及び増進をすることが可能な構成を有している。
【００５６】
特に、ユーザのサーカディアンリズムをリセットし、又は、調整するためには、ユーザが屋外にて実際に太陽光を浴びることが理想的であるため、本実施形態の生体リズム調整装置１は、太陽光に含まれるＶＬ及びＢＬの割合によってユーザの眼にＶＬ及びＢＬを照射するようになっており、太陽光に似た光を再現しつつ、ユーザの眼に照射する構成を有している。
【００５７】
具体的には、本実施形態の生体リズム調整装置１は、図１に示すように、ユーザの眼に近接して装着される眼鏡型のウェアラブルデバイスとして構成され、生体リズム調整装置１をユーザの顔に装着した状態で、ユーザの左右の眼に相対する位置に右眼用光源１１と左眼用光源１２を有している。
【００５８】
各光源１１及び１２には、例えば、眼鏡フレームにおいてレンズの固定される部位の中央部に設けられており、それぞれ、ＶＬ照射用のＬＥＤ（発光ダイオード）１１Ｖ及び１２Ｖと、ＢＬ照射用のＬＥＤ１１Ｂ及び１２Ｂを有している。
【００５９】
そして、光源１１及び１２は、生体リズム調整装置１がユーザの顔に装着され、ユーザが眼を開いた状態でユーザの眼にＶＬ及びＢＬを照射する構成を有している。
【００６０】
なお、本実施形態の生体リズム調整装置１においては、光源１１及び１２として、ＶＬ照射用のＬＥＤ１１Ｖ、１２Ｖと、ＢＬ照射用のＬＥＤ１１Ｂ、１２Ｂと、を１つにまとめた光源を利用しているが、１つのＬＥＤにて選択的にＶＬ及びＢＬを照射可能なハイブリッド型のＬＥＤを利用するようにしてもよい。
【００６１】
また、上述のようにＶＬ及びＢＬの双方にサーカディアンリズムを調整する能力があるので、ＢＬのみ、又は、ＶＬのみをユーザの眼に照射した場合にも、ユーザのサーカディアンリズムの乱れを正すことが可能である。
【００６２】
ただし、本実施形態においては、サーカディアンリズムの調整機能を高めるため、ＶＬとＢＬをユーザの眼に同時に照射する構成を採用するものとして説明をする。
【００６３】
［１．２］生体リズム調整装置の構成
次に、図２を用いて本実施形態の生体リズム調整装置１の機能ブロックの構成について説明する。なお、図２は、本実施形態の生体リズム調整装置１の機能ブロックの構成を示すブロック図である。
【００６４】
本実施形態の生体リズム調整装置１は、図２に示すように、右眼用光源１１と、左眼用光源１２と、右眼用光源１１に内蔵されたＬＥＤ１１Ｂ及び１１Ｖを駆動するための右眼用光源駆動回路１１０と、左眼用光源１２に内蔵されたＬＥＤ１２Ｂ及びＬＥＤ１２Ｖを駆動するための左眼用光源駆動回路１２０と、を有している。
【００６５】
また、生体リズム調整装置１は、ユーザが各種の入力操作を行うための操作部１３０と、ＲＯＭ／ＲＡＭ１４０と、ＣＰＵ（中央演算装置）１５０と、を有している。なお、上記の各部は、バスによって相互に接続されており、各種のデータや信号の授受を行っている。
【００６６】
右眼用光源１１及び左眼用光源１２には、各々、ＢＬ照射用のＬＥＤ１１Ｂ及び１２Ｂと、ＶＬ照射用のＬＥＤ１１Ｖ及び１２Ｖが内蔵されている。
【００６７】
右眼用光源駆動回路１１０及び左眼用光源駆動回路１２０は、それぞれ、ＣＰＵ１５０による制御の下、対応する光源１１又は１２に内蔵された各ＬＥＤ１１Ｂ、１１Ｖ、１２Ｂ、１２Ｖに駆動信号を供給して、ＬＥＤ１１Ｂ、１１Ｖ、１２Ｂ、１２Ｖを発光させる。なお、本実施形態の右眼用光源駆動回路１１０及び左眼用光源駆動回路１２０は、光源１１及び１２と連動して、例えば、本発明の「照射手段」を構成する。
【００６８】
特に、右眼用光源駆動回路１１０及び左眼用光源駆動回路１２０は、ＣＰＵ１５０から供給される制御信号に従って、ＬＥＤ１１Ｂ、１１Ｖ、１２Ｂ、１２Ｖに供給する駆動信号を変化させ、ＬＥＤ１１Ｂ、１１Ｖ、１２Ｂ、１２Ｖから照射されるＶＬ及びＢＬの照度を調整する機能を有している。
【００６９】
また、右眼用光源駆動回路１１０及び左眼用光源駆動回路１２０が、それぞれ、ＬＥＤ１１Ｂ、１１Ｖ、１２Ｂ、１２Ｖから照射されるＶＬ及びＢＬの照度を調整する際の方法については任意である。例えば、右眼用光源駆動回路１１０及び左眼用光源駆動回路１２０は、光源１１及び１２に供給する駆動信号をＰＷＭ（ｐｕｌｓｅ  ｗｉｄｅ  ｍｏｄｕｌａｔｉｏｎ）方式にて変化させ、照度を調整するようにしてもよい。
【００７０】
そして、右眼用光源駆動回路１１０及び左眼用光源駆動回路１２０は、ＣＰＵ１５０から供給される制御信号に応じた照度にて、ＬＥＤ１１Ｖ、１１Ｂ、１２Ｖ、１２ＢからＶＬ及びＢＬを照射する。
【００７１】
操作部１３０は、例えば、電源ボタンや、十字型の操作ボタン、決定ボタン等の各種ボタンを有し、ユーザが行った入力操作に対応する操作コマンドを、バスを介してＣＰＵ１５０に出力する。
【００７２】
また、操作部１３０の各種のボタンは、生体リズム調整装置１の筐体に設けられており、かつ、当該生体リズム調整装置１がユーザに装着された状態であっても、ユーザが操作可能な位置に設けられている。
【００７３】
ＲＯＭ／ＲＡＭ１４０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性メモリと、ワークエリアとして用いられるＲＡＭ（Ｒａｎｄｏｍ  Ａｃｃｅｓｓ  Ｍｅｍｏｒｙ）とを有する。
【００７４】
そして、ＲＯＭ／ＲＡＭ１４０には、生体リズム調整装置１の制御プログラムや、光源１１及び１２の発光を制御するための制御データが記憶される。
【００７５】
特に、本実施形態において、ＲＯＭ／ＲＡＭ１４０には、ＶＬ及びＢＬをユーザの眼に照射する際の放射照度を規定する条件データが記憶されている。
【００７６】
例えば、ＲＯＭ／ＲＡＭ１４０には、各モードに対応付けて
（１）第１モード：ＢＬの放射照度を１００μＷ／ｃｍ２、ＶＬの放射照度を５０μＷ／ｃｍ２、
（２）第２モード：ＢＬの放射照度を１２０μＷ／ｃｍ２、ＶＬの放射照度を６０μＷ／ｃｍ２、
（３）第３モード：ＢＬの放射照度を１４０μＷ／ｃｍ２、ＶＬの放射照度を７０μＷ／ｃｍ２、
など、各モードに対応する放射照度にて光源１１及び１２からＶＬ及びＢＬを照射させるための制御データが記憶されている。
【００７７】
ＣＰＵ１５０は、当該条件データにより規定される放射照度にて、ＶＬ及びＢＬがユーザの眼に照射されるように右眼用光源駆動回路１１０及び左眼用光源駆動回路１２０を制御する。
【００７８】
特に、ＣＰＵ１５０は、ＲＯＭ／ＲＡＭ１４０に記憶されたプログラムに従って、条件データにより示される放射照度にてユーザの眼にＶＬ及びＢＬを照射させるための処理を実行する。
【００７９】
また、ＣＰＵ１５０は、ユーザの眼に対するＶＬ及びＢＬの照射に際して、ユーザに照射期間や上述のような照射モードを条件データとして設定させるための制御を実行し、当該設定された照射期間中、太陽光に含まれる割合にてユーザの眼にＶＬ及びＢＬが照射されるように右眼用光源駆動回路１１０及び左眼用光源駆動回路１２０を制御する。
【００８０】
例えば、ＣＰＵ１５０は、ＲＯＭ／ＲＡＭ１４０に記憶された制御データの中から、図示しないタイマによって自動的に、又は、操作部１３０の操作によって選択された１の制御データを読み出す。
【００８１】
そして、ＣＰＵ１５０は、当該選択されたモードに対応する放射照度にてユーザの眼にＶＬ及びＢＬを照射させるため、読み出したモードに対応する制御データを用いて、右眼用光源駆動回路１１０及び左眼用光源駆動回路１２０を制御する。
【００８２】
なお、照射期間のみならず放射照度をユーザが自由に選択することによって、ユーザの体調に合わせつつ、ＶＬ及びＢＬをユーザの眼に照射して、サーカディアンリズムを調整することができるようになっている。
【００８３】
また、ＣＰＵ１５０は、操作部１３０と連動し、所定の手順によってユーザに照射期間を設定させる。例えば、ＣＰＵ１５０は、設定モードにおいて、操作部１３０の十字型のキーの上方向を１回押す毎に照射期間を所定時間（例えば、５分間あるいは１０分間等）増加させ、下方向を押す毎に当該時間分照射期間を減少させ、期間の選択後に、決定キーを押すことにより照射期間を設定するようにしてもよい。
【００８４】
また、本実施形態においては、ユーザの眼に照射するＶＬ及びＢＬの放射照度は、ユーザの眼の表面におけるＶＬ及びＢＬの放射照度である必要があるが、本実施形態の場合には、ユーザの眼に近接して、光源１１及び１２が配置されるため、距離による光の減衰はほとんど考慮する必要はないので、大きなパワーのＬＥＤを用いることなく本機能を実現することできる。
【００８５】
［１．３］サーカディアンリズムにＶＬが与える影響の動物実験について
次に、図３〜図５を用いて本実施形態におけるサーカディアンリズムにＶＬが与える影響に関する動物実験の結果について説明する。
【００８６】
なお、図３は、パルス的に与えたＶＬのエネルギー変化に応じたマウスの活動量の変化を示す動物実験の実験条件を示す図であり、図４は、当該マウスを使用した動物実験において、グループＡに属するマウスの活動量の計測結果を示すアクトグラム及びグループＢに属するマウスの活動量の計測結果を示すアクトグラムを示す図である。また、図５は、マウスを使用した動物実験により得られたサーカディアンリズムの位相シフト量を示すグラフである。
【００８７】
（１）実験条件について
まず、図３を用いて実験条件について説明する。
【００８８】
本実験においては、生後６週間の雄のマウスを２つのグループ（グループＡ及びＢ）に分け、各グループに対して、以下の条件で光を照射した。
【００８９】
（Ａ）グループＡ
このグループに属するマウスに対しては、通常の白色ＬＥＤを用いて、図３（Ａ）に示されるようなスペクトルを有する光（以下、「白色光」又は「ＷＬ」という。）を照射した。多くの白色ＬＥＤは、青色ＬＥＤを発光体とし、黄色の蛍光体と組み合わせ、白色を作り出すモジュールであり、図３（Ａ）はそのような白色ＬＥＤの発光スペクトルである。
【００９０】
このとき、図３（Ｃ）に示すように、８時００分〜２０時００分までの間（すなわち、１２時間）、ＷＬのＬＥＤを点灯し、マウスケージの底部において１００〜３００ルクスとなるようにＷＬをマウスに浴びさせ、２０時００分にＬＥＤを消灯して、１２時間暗闇にする状況（以下、「明暗状況」という。）を一週間続けた。その後、暗闇の状況下で１０ルクスのＷＬを３０分間継続して照射し、（以下、「恒暗条件」という。）その活動量を計測した。
【００９１】
（Ｂ）グループＢ
このグループに属するマウスに対しては、ＷＬとともにＶＬを照射し、図３（Ｂ）で示されるようなスペクトルを有する光を照射した。
【００９２】
このとき、図３（Ｃ）に示すように、グループＢに属するマウスには上記グループＡに属するマウスに対して行ったのと同様に、一週間明暗条件によりＷＬ及びＶＬの双方を含む光の照射を繰り返した後、恒暗条件下においてＷＬ及びＶＬの双方を含む１０ルクス光を３０分間継続して照射し、その活動量を計測した。
【００９３】
（２）実験結果について
本実験における活動量計測には、ランニングホイールを用いた。具体的には、上記条件にて光を照射したマウスをランニングホイール内に入れ、マウスの移動量をランニングホイールの回転量に基づき算出した。
【００９４】
この結果、グループＡに属するマウスに関しては、図４（Ａ）、グループＢに属するマウスに関しては、図４（Ｂ）のような活動量の計測結果が得られた。
【００９５】
なお、図４（Ａ）及び（Ｂ）において、縦軸は、３０分毎のマウスの活動量を示し、横軸は、時刻となっている。また、各段は、４８時間の時間長をとり、各段の後半２４時間と次の段の前半２４時間は重複して表示している。
【００９６】
また、図４（Ａ）及び（Ｂ）中に示す線は、本来、連続するものであるが、図４（Ａ）及び（Ｂ）に示すように不連続性が認められる。
【００９７】
この不連続になった部分（すなわち、図４（Ａ）及び（Ｂ）において矢印で示している部分）が、サーカディアンリズムの位相シフト量を示している。
【００９８】
このようにして得られたサーカディアンリズムの位相シフト量をグラフ化したところ、図５のような結果が得られた。なお、図５に示す位相シフト量の測定結果におけるＰ値は、０．００５である。また、図５において、縦軸は時間（分）である。
【００９９】
図５に示すように、グループＡよりもグループＢにおける位相シフト量が大きくなった。このことは、ＷＬのみを照射した場合よりもＷＬとともにＶＬを照射することにより、位相シフト量が大きくなることを意味している。
【０１００】
以上の実験結果から、ＶＬを生体に照射することにより、サーカディアンリズムの位相を変化させ、サーカディアンリズムを調整できることが新たに判明したことが分かる。
【０１０１】
［１．４］ユーザの眼に照射するＶＬ及びＢＬの割合
次に、図６を用いて本実施形態において生体リズム調整装置１によりユーザの眼に照射するＶＬ及びＢＬの割合について説明する。
【０１０２】
なお、図６は、横軸が波長、縦軸が分光放射照度の太陽光の国際標準データ「ＡＭ１．５Ｇ」を示す図であり、国際標準データにおける分光放射照度のスペクトル及び分光放射照度の比、及び、太陽光に含まれるＢＬ及びＶＬの単位波長当たりの放射照度を示す図である。
【０１０３】
太陽光に含まれるＶＬ及びＢＬの分光放射照度は、図６（Ａ）に示すように、ＶＬが約７０μＷ／ｃｍ２／ｎｍ、ＢＬが約１５３μＷ／ｃｍ２／ｎｍとなっている。したがって、太陽光に含まれるＶＬとＢＬの比は、分光放射照度を基準とすると、ＶＬ：ＢＬ＝１：２．２となる。
【０１０４】
一方、図６（Ｂ）に示すように、太陽光に含まれるＶＬ及びＢＬの単位波長あたりの放射照度は、ＶＬが、約７０．０５μＷ／ｃｍ２／ｎｍ、ＢＬが１２８．８７５μＷ／ｃｍ２／ｎｍとなっている。したがって、太陽光に含まれるＶＬとＢＬの比は、単位波長あたりの分光放射照度を基準とすると、ＶＬ：ＢＬ＝１：１．８となる。
【０１０５】
なお、ＶＬ及びＢＬの波長域に関する定義においては、ＶＬの波長域の幅が４０ｎｍ（＝４００−３６０）である一方、ＢＬの波長域の幅が１２０ｎｍ（＝５００−３８０）と波長域の幅が異なる。
【０１０６】
このため、ＢＬ及びＶＬの放射照度（１５４６５μＷ／ｃｍ２及び２８０２μＷ／ｃｍ２）で比較するのは適当ではないため、波長域の幅（１２０ｎｍ及び４０ｎｍ）により除算し、上記単位波長あたりの放射照度を算出し、それで比較をしている。
【０１０７】
すなわち、ＢＬの単位波長あたりの放射照度１２８．８７５μＷ／ｃｍ２は、１５４６５μＷ／ｃｍ２÷１２０ｎｍ、ＶＬの単位波長あたりの放射照度７０．０５μＷ／ｃｍ２は、２８０８μＷ／ｃｍ２÷４０ｎｍにより、その値が算出される。
【０１０８】
太陽光に含まれるＶＬとＢＬの比は、分光放射照度を基準にした場合と単位波長あたりの分光放射照度を基準とした場合の両方で、おおよそ１：２±０．２程度となる。以上の考察に基づき、本実施形態の生体リズム調整装置１においては、ＶＬ及びＢＬを１：２程度の割合で照射する構成を採用している。
【０１０９】
一方、ユーザの眼に対して強すぎるＶＬ及びＢＬを照射すると、ユーザが眩しさを感じ、不快感を覚える可能性がある。
【０１１０】
特に、強すぎるＢＬをユーザの眼に照射することは、ユーザの眼の安全性の観点からも望ましくない。例えば、強すぎるＢＬをユーザの眼に照射すると、不快感を覚えるとともに、網膜に影響を及ぼす可能性がある。
【０１１１】
これに対して、本発明者が試作機で用いたＢＬのＬＥＤの波長特性を元に、ＩＥＣ（国際電気標準会議）６２４７１及びＪＩＳ（日本工業規格）  Ｃ７５５０による安全基準に基づく計算を行った結果、ＢＬの放射照度が、１６０μＷ／ｃｍ２以下あれば、確実に安全性を確保可能であることが判明した。
【０１１２】
具体的には、ＩＥＣ６２４７１において小さなＢＬ光源による網膜の危険曝露量を規定する下記式（１）おけるＥＢ（実効放射照度）の値を、ＢＬのＬＥＤを搭載した生体リズム調整装置１を用いつつ、所定の条件下で測定した放射照度の結果値は、１４３μＷ／ｃｍ２となった。この時に（式１）に従って計算した実効放射照度は、８９μＷ／ｃｍ２となる。光の波長依存性が変化せず、（式１）における「Ｅλ」が変化しない状況においては、放射照度と実効放射照度は比例関係にあるので、実効放射照度の限度値である１００μＷ／ｃｍ２（＝1Ｗ／ｍ２）となるためには、放射照度が１４３×１００／８９＝１６０μＷ／ｃｍ２程度になり、１６０μＷ／ｃｍ２までの放射照度のＢＬであればユーザの眼に照射した場合における安全性を確保できることになる。
【０１１３】
【数１】
2020010775.tif 000003
【０１１４】
このため、本実施形態においては、ユーザの眼に照射するＢＬの放射照度を、確実に安全性の確保できる上限値である１６０μＷ／ｃｍ２とするとともに、ＶＬの放射照度をその半分の８０μＷ／ｃｍ２に固定し（それにより、ＶＬとＢＬの放射照度比を１：２とすることで太陽光を模している）、当該放射照度を示す発光制御用のデータを、上記条件データとして、ＲＯＭ／ＲＡＭ１４０に予め記憶させる構成を採用している。
【０１１５】
このように、本実施形態の生体リズム調整装置１は、安全性を確保しつつ、ユーザにより設定された期間中ＶＬ及びＢＬを太陽光に含まれる割合にてユーザの眼に照射できるので、ユーザのサーカディアンリズムを確実に整えることができるようになっている。
【０１１６】
また、安全性が確実に確保できるＢＬの放射照度の上限値は、上記のように１６０μＷ／ｃｍ２であるので、これを超えない範囲内で、ＶＬ：ＢＬの比を１：２程度に予め設定しておけば、いずれのモードが選択された場合にも、太陽光に含まれる割合にてＶＬ及びＢＬをユーザの眼に照射できるので、安全性を確保しつつ、サーカディアンリズムの調整機能を向上させることも可能となる。
【０１１７】
［２］第２実施形態
次に、図７を用いて、本願に係る生体リズム調整装置又は生体リズム調整システムの第２実施形態について説明する。なお、図７は、本実施形態の生体リズム調整システム１００の構成を示すシステム構成図である。
【０１１８】
本実施形態は、第１実施形態のウェアラブルデバイスとしての生体リズム調整装置に加えて、当該生体リズム調整装置１を制御する通信端末装置を用いる点に特徴があり、その他の構成は共通するため、同一部材においては同一符号を用いてその説明を省略する。
【０１１９】
特に、本実施形態の生体リズム調整システム１００は、図７に示すように、光源１１及び１２を有するウェアラブルデバイス１０と、当該ウェアラブルデバイス１０と有線又は無線によって接続されたスマートフォン、タブレット型情報通信端末装置等の通信端末装置２０と、を有している。
【０１２０】
本実施形態のウェアラブルデバイス１０は、上記の図２と同様の構成に加えて、通信端末装置２０と通信接続するために用いるＵＳＢ（Ｕｎｉｖｅｒｓａｌ  Ｓｅｒｉａｌ  Ｂｕｓ）等の有線インターフェースやＢｌｕｅｔｏｏｔｈ（登録商標）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ、ｇ、ｎ、ａｃ等により構成される図示せぬＩ／Ｏインターフェースを有している。
【０１２１】
また、ＣＰＵ１５０は、このＩ／Ｏインターフェースを介して、通信端末装置２０から供給される制御コマンドに従って、右眼用光源駆動回路１１０及び左眼用光源駆動回路１２０を制御し、ユーザの眼に対するＶＬ及びＢＬの照射を制御する。
【０１２２】
通信端末装置２０は、ウェアラブルデバイス１０に搭載された光源１１及び１２の発光を制御し、ユーザのサーカディアンリズムを調整する機能を実現するため、制御コマンドを生成し、ウェアラブルデバイス１０に送信する機能を有している。
【０１２３】
具体的には、通信端末装置２０は、第１実施形態の生体リズム調整装置１におけるＲＯＭ／ＲＡＭ１４０及びＣＰＵ１５０の機能を実現する。
【０１２４】
特に、通信端末装置２０には、予め条件データが記憶されているとともに、所定の設定画面を表示させつつ、照射期間に関するユーザの設定を受け付け、当該設定された照射期間及び条件データに基づいて、ウェアラブルデバイス１０を制御する制御コマンドを送信する。
【０１２５】
なお、本実施形態のウェアラブルデバイス１０は、例えば、本発明の照射手段を構成し、通信端末装置２０は、ウェアラブルデバイス１０のＣＰＵ１５０と連動して、本発明の制御装置を構成する。
【０１２６】
また、通信端末装置２０は、上記第１実施形態と同様に、ＶＬ及びＢＬをユーザの眼に照射する際の放射照度に関するモードを複数用意し、タイマを用いて自動的に、又は、ユーザの操作に応じて、選択されたモードに基づいて、ユーザの眼にＶＬ及びＢＬを照射させる。
【０１２７】
［３］第３実施形態
次に、本願に係る生体リズム調整装置又は生体リズム調整システムの第３実施形態について説明する。
【０１２８】
本実施形態は、上記第１及び第２実施形態に代えてユーザの眼にＶＬのみを照射する点に特徴があり、その他の構成は共通するため、同一部材には同一符号を付してその説明を省略する。
【０１２９】
なお、本実施形態の生体リズム調整装置１又は生体リズム調整システム１００は、光源１１及び１２に少なくともＶＬ照射用ＬＥＤ１１Ｖ、及び１２Ｖを設ければよく、ＢＬ照射用ＬＥＤ１１Ｂ、１２Ｂを設けることは必ずしも必要性とならない。
【０１３０】
一方、本実施形態においては、生体リズム調整装置１又は生体リズム調整システム１００は、実際の太陽光に近いＶＬをユーザの眼に照射するための構成を有している。
【０１３１】
特に、本発明者は、実際に東京の屋外において観測されるＶＬの放射照度を計測し、以下のような結果が得られた。
【０１３２】
（Ａ）快晴の日：５８３μＷ／ｃｍ２
（Ｂ）雲のある日：２７１μＷ／ｃｍ２
【０１３３】
なお、本計測においては、１０〜１６時３０分の時間帯においてＶＬの放射照度を東西南北の各水平方向に対して、複数回測定するとともに、４方向に対する測定値の平均を算出して、当該時間帯における平均値を算出した。
【０１３４】
上記計測結果と東京における快晴日数（４６日）から東京におけるＶＬの年間の平均放射照度を算出すると、約３１０μＷ／ｃｍ２になる。したがって、ユーザの眼に対して、３１０μＷ／ｃｍ２のＶＬを照射すると、実際に東京の屋外にて太陽光を浴びたのと同様のＶＬをユーザの眼に照射し、東京の屋外と似た環境を再現できることになる。
【０１３５】
そこで、本実施形態の生体リズム調整装置１又は生体リズム調整システム１００は、３１０μＷ／ｃｍ２の放射照度にて、ユーザの眼にＶＬのみを照射する構成を採用している。
【０１３６】
なお、ＶＬに関しては、ＢＬと比較して眼球内での減衰量が大きく、比視感度も低いことから、眼の表面に３１０μＷ／ｃｍ２の光を照射したとしてもユーザが不快感を覚える可能性は低く、網膜対する影響もほとんどない。
【０１３７】
したがって、本実施形態のように３１０μＷ／ｃｍ２の放射照度にてＶＬを照射することにより、ユーザの安全性を確保しつつ、屋外環境と同程度のＶＬを照射することができ、サーカディアンリズムを確実に調整することができるようになっている。
【０１３８】
また、本実施形態においては、ＶＬのみを照射する構成としているが、ＢＬ用のＬＥＤ１１Ｂ、１２Ｂのみを光源１１及び１２に設け、同様の構成によりＢＬのみを照射するようにしてもよい。
【０１３９】
ただし、ＢＬのみを照射する方法を採用し、もしくは、ＢＬとＶＬを同時に照射する方法を採用する場合には、ＢＬの放射照度を上記東京におけるＶＬの年間の平均放射照度（３１０μＷ／ｃｍ２）の２倍の値にあたる６２０μＷ／ｃｍ２ではなく、上記上限値の１６０μＷ／ｃｍ２以下にして、ユーザの眼を保護できるようにすることが望ましい。
【０１４０】
［４］第４実施形態
［４．１］概要
次に、図８〜図１０を用いて本願に係る生体リズム調整装置又は生体リズム調整システムの第４実施形態について説明する。
【０１４１】
本実施形態は、ユーザの行動予定（以下、「スケジュール」ともいう。）に基づき、ＶＬ及びＢＬをユーザの眼に照射して、サーカディアンリズムをスケジュールに合わせて調整する点に特徴があり、その他の構成は第１実施形態及び第２実施形態と共通するため、同一の部材については同一の符号を付してその説明を省略する。
【０１４２】
特に、本実施形態の生体リズム調整システムを構成する通信システムＳは、ユーザの行動予定（以下、「スケジュール」ともいう。）に基づき、ＶＬ及びＢＬをユーザの眼に照射して、サーカディアンリズムをスケジュールに合わせて調整するシステムである。
【０１４３】
現代社会においては、様々な勤務体系が存在し、例えば、二交代制、三交代制のシフト勤務の場合には、毎日決まった時刻に起床、就寝することが難しい。また、例えば、業務遂行の期限（例えば、明日の９時まで等）が定められている場合には、期限前の所定期間（例えば、期限前の２４時間等）睡眠時間を確保できない状況も存在する。
【０１４４】
このようなケースにおいては、ユーザが十分な睡眠時間を確保できないので、何らかの対策を講じなければ、眠気に起因して業務効率が低下し、ミスを誘発する可能性があるので、本実施形態においては、後述する覚醒機能により、業務遂行中に眠気を催すことを防止する機能を実現することとした。
【０１４５】
一方、覚醒機能により、ユーザの睡眠を所定期間禁止した場合には、ユーザのサーカディアンリズムに乱れが生じ、心身に影響を与える可能性も生じるため、例えば、期限の定められた業務が完了した場合には、就寝時刻を調整し、サーカディアンリズムを普段の生活に同調させることが必要となる。
【０１４６】
特に、例えば、二交代、三交代等の業務シフトが変化した場合などにおいては、その状況変化に合わせて、就寝時刻を調整し、新たなシフトにサーカディアンリズムを同調させることが健康の維持増進と、業務効率改善のためには望ましい。
【０１４７】
そこで、本実施形態の通信システムＳは、
（１）予め設定されたユーザが寝ることのできない期間（以下、「睡眠禁止期間」ともいう。）を含むスケジュール（行動予定）に基づいて、睡眠禁止期間中、ユーザの眼にＶＬ及びＢＬを照射することにより睡眠禁止期間中の眠気を抑制し、業務効率の向上とミスの発生を防止する機能（以下、「覚醒機能」ともいう。）、及び、
（２）望就寝日時に眠気を催すようにサーカディアンリズムを調整する機能（以下、「睡眠導入機能」ともいう。）、
を実現するための構成を有している。
【０１４８】
［４．２］通信システムの構成
次に、図８を用いて本実施形態の通信システムＳの構成を説明する。図８は、本実施形態の通信システムＳの全体構成を示すシステム構成図である。また、図８においては、図面が煩雑になることを防止するため、所定のユーザ及び当該ユーザにより利用される生体リズム調整システム１００のみを表示している。すなわち、通信システムＳには、図示するよりも多くのユーザ及び生体リズム調整システム１００が存在している。
【０１４９】
本実施形態の通信システムＳは、図８に示すように、光源１１及び１２を内蔵したウェアラブルデバイス１０及び通信端末装置２０から構成される複数の生体リズム調整システム１００と、各生体リズム調整システム１００とネットワークＮを介して通信接続される情報管理サーバ装置３０と、を有している。
【０１５０】
なお、図示はしないが、ネットワークＮには、各種のサーバ装置や通信端末装置が通信接続され、各装置間においてデータの送受信が行われるようになっている。
【０１５１】
通信端末装置２０は、例えばスマートフォン、タブレット型情報通信端末装置、ＰＣ（パーソナルコンピュータ）などの通信端末装置である。
【０１５２】
また、通信端末装置２０は、ＸＭＬ（Ｅｘｔｅｎｓｉｂｌｅ  Ｍａｒｋｕｐ  Ｌａｎｇｕａｇｅ）等のマークアップ言語によって記述されたデータをユーザが閲覧可能な形式にて表示するためのＷｅｂブラウザを含む各種のアプリケーションプログラムを搭載する。
【０１５３】
そして、通信端末装置２０は、情報管理サーバ装置３０及びネットワークＮに接続された図示せぬ他のサーバ装置（例えば、世界各地の天候や日の出、日の入りの日時に関する情報を含む気象データを配信するサーバ装置等）とデータ通信を行い、ネットワークＮを介して受信したデータの表示処理等を実行する。
【０１５４】
さらに、通信端末装置２０には、ＵＳＢ等の後述するＩ／Ｏインターフェース部２１２が搭載されており、当該インターフェースを介してウェアラブルデバイス１０と通信を実行する。
【０１５５】
一方、通信端末装置２０には、
（１）睡眠禁止期間及び希望起床日時の少なくともいずれか一方を含むユーザのスケジュールを管理し、条件データとしての当該スケジュールに対応するデータ（以下、「行動予定データ」という。）を生成するためのアプリケーションプログラム（以下、「スケジューラ」ともいう。）と、
（２）行動予定データに基づき、光源１１及び１２の発光を制御するアプリケーションプログラム（以下、「発光制御アプリケーション」ともいう。）と、
が、搭載されている。
【０１５６】
そして、通信端末装置２０は、発光制御アプリケーションに従って、
（Ａ）ユーザの眼にＶＬ及びＢＬを照射させる際の照射期間を、行動予定データにより示されるユーザのスケジュールに合わせて設定し、
（Ｂ）当該設定した照射期間中、太陽光に含まれる割合にてＶＬ及びＢＬをユーザの眼に照射させるための制御コマンドを、条件データに基づいて生成し、
（Ｃ）ウェアラブルデバイス１０に形成された光源１１及び１２の発光を制御するために、生成した条件データを、インターフェースを介してウェアラブルデバイス１０に送信する、
構成を有している。
【０１５７】
また、通信端末装置２０は、ユーザの入力に基づいて、上記睡眠禁止期間とは別に、曜日毎、又は、各日毎に希望就寝日時（例えば、月〜木及び日曜日は２３時３０分、金曜及び土曜日は２４時３０分就寝等）を設定し、当該設定された希望就寝日時に対応する希望就寝日時情報に基づき、ユーザの眼にＶＬ及びＢＬを照射する構成を有している。
【０１５８】
ウェアラブルデバイス１０は、通信端末装置２０からインターフェースを介して送信された制御コマンドを受信し、当該制御コマンドに従って、光源１１及び１２を発光させて、ユーザの眼にＶＬ及びＢＬを照射させる。
【０１５９】
また、ウェアラブルデバイス１０は、同様に受信した制御コマンドに従って光源１１及び１２を消灯させる。
【０１６０】
なお、ウェアラブルデバイス１０の構成に関しては、基本的に上記第２実施形態と同様であるため、詳細を省略する。
【０１６１】
情報管理サーバ装置３０は、ユーザの眼に照射されたＶＬ及びＢＬの照射履歴に対応するデータ（以下、「照射履歴データ」という。）や行動予定データを、各生体リズム調整システム１００から収集するとともに管理し、医師や親、教師、保育士、擁護員、その他の保護責任者などのオペレータに提示する機能を有している。
【０１６２】
なお、通信システムＳは、情報管理サーバ装置３０の機能により、ユーザの生活習慣をモニタリングして、医師等によるカウンセリングへの展開及び利用が可能となる。
【０１６３】
例えば、「あなたの生活リズムは、夜型になっているので早寝早起きを心がけるか、定期検診を受けて下さい。」等のカウンセリング結果を情報管理サーバ装置３０から通信端末装置２０に配信するような利用形態を実現できる。また、ＶＬ及びＢＬの照射がサーカディアンリズムに及ぼす影響に関するモニタリングを行うためにも利用することができる。
【０１６４】
［４．３］通信端末装置の構成
次に、図９を用いて、本実施形態の通信端末装置２０の構成について説明する。なお、図９は、本実施形態の通信端末装置２０の構成を示すブロック図である。
【０１６５】
本実施形態の通信端末装置２０は、図９に示すように、ネットワークＮに通信接続されるネットワーク通信部２１１と、Ｉ／Ｏインターフェース部２１２と、各種の情報に対応するデータが記憶される記憶部２１３と、表示部２１４と、表示制御部２１５と、装置管理制御部２１６と、操作部２１７と、現在日時を特定するタイマ２１８と、を有している。
【０１６６】
また、通信端末装置２０は、ウェアラブルデバイス１０によるＶＬ及びＢＬの照射制御に必要な処理を実行するアプリケーション実行部２１９と、使用者の現在地の位置情報を生成する現在地検出部２２０と、センサ部２２２と、を有している。
【０１６７】
なお、上記の各部は、バスによって相互に接続されており、各種のデータや信号の授受を行っている。
【０１６８】
ネットワーク通信部２１１は、所定のネットワークインターフェースであり、装置管理制御部２１６及びアプリケーション実行部２１９の制御の下、基地局ＢＳを介してネットワークＮに接続された情報管理サーバ装置３０及び図示せぬ各種のサーバ装置とデータの授受を行う。
【０１６９】
Ｉ／Ｏインターフェース部２１２は、入出力用インターフェースであり、外部機器として接続されるウェアラブルデバイス１０に搭載された図示せぬＩ／Ｏインターフェース部と同一の通信規格に従った規格にて通信を行えるようになっている。
【０１７０】
記憶部２１３は、例えば、ＥＥＰＲＯＭやフラッシュメモリなどの記憶媒体により構成される。そして、記憶部２１３は、スケジューラや発光制御アプリケーションを含む各種のアプリケーションプログラム及び通信端末装置２０を制御する制御プログラム、各種の制御データが記憶されるアプリケーション記憶部２１３ａと、照射履歴データが記憶される照射履歴データ記憶部２１３ｂと、ＶＬ及びＢＬの照射制御に必要な各種のデータが記憶される照射制御データ記憶部２１３ｃと、行動予定データが記憶される行動予定データ記憶部２１３ｄと、ワークエリアとして用いられるＲＡＭ２１３ｅと、を有している。
【０１７１】
なお、照射履歴データ記憶部２１３ｂに記憶する照射履歴データのデータ構成については任意であり、例えば、ユーザの眼にＶＬ及びＢＬを照射した照射期間を示すデータであってもよく、照射期間と放射照度により規定されるエネルギー量のデータであってもよい。また、本実施形態において照射制御データ記憶部２１３ｃには、太陽光の割合にてＶＬ及びＢＬを照射するために必要な条件データ（すなわち、ＢＬの放射照度を１６０μＷ／ｃｍ２、ＶＬの放射照度を８０μＷ／ｃｍ２と規定するデータ）が記憶されている。
【０１７２】
表示部２１４は、液晶パネル、又は、有機ＥＬディスプレイパネルによって構成されている。
【０１７３】
表示制御部２１５は、表示部２１４にタッチパネル用の画像を含めて所定の画像を表示するための各種の制御を実行する。
【０１７４】
装置管理制御部２１６は、主としてＣＰＵにより構成され、通信端末装置２０の各部を統合制御する。
【０１７５】
操作部２１７は、各種の確認ボタン、各操作指令を入力する操作ボタン、テンキー等の多数のキー及びタッチパネルにより構成され、各操作を行う際に用いられるようになっている。
【０１７６】
アプリケーション実行部２１９は、装置管理制御部２１６と同一又は独立したＣＰＵにより構成される。
【０１７７】
そして、アプリケーション実行部２１９は、装置管理制御部２１６による制御の下、アプリケーション記憶部２１３ａに記憶されたアプリケーションプログラムを実行することにより、スケジューラ及び発光制御アプリケーションを実行することにより、行動予定データの生成、及び、ウェアラブルデバイス１０によるＶＬ及びＢＬの照射制御に必要な処理を実行する。
【０１７８】
具体的には、アプリケーション実行部２１９は、
（ａ）各種のデータを取得するデータ取得部２１９ａと、
（ｂ）スケジューラに基づき、行動予定データを生成する行動予定データ生成部２１９ｂと、
（ｃ）発光制御アプリケーションに基づき、ＶＬ及びＢＬの照射期間を設定する照射期間設定部２１９ｃと、
（ｅ）ウェアラブルデバイス１０に制御コマンドを送信して、照射期間設定部２１９ｃにより設定された照射期間中、条件データに基づき、太陽光に含まれるＶＬ及びＢＬの割合にてユーザの眼にＶＬ及びＢＬを照射させるための処理を実行する照射制御部２１９ｄと、
（ｆ）各種のデータを送信するための処理を実行する送信処理部２１９ｅと、
を実現する。
【０１７９】
なお、例えば、本実施形態のデータ取得部２１９ａと行動予定データ生成部２１９ｂは、連動して本発明の取得手段を構成し、照射期間設定部２１９ｃと照射制御部２１９ｄは、連動して本発明の制御手段を構成する。また、本実施形態のアプリケーション実行部２１９の詳細について後述する。
【０１８０】
現在地検出部２２０は、ＧＰＳ（Ｇｌｏｂａｌ  Ｐｏｓｉｔｉｏｎｉｎｇ  Ｓｙｓｔｅｍ）受信機により構成され、ＧＰＳ衛星４０から受信したＧＰＳ信号に基づき、ユーザの位置情報を生成する。
【０１８１】
センサ部２２２は、例えば、加速度センサ、ジャイロセンサ、ユーザの周囲における光（太陽光や照明光等を含む各種の光）を検出する照度センサ等の各種センサにより構成される。
【０１８２】
［４．４］アプリケーション実行部
次に、本実施形態の通信端末装置２０におけるアプリケーション実行部２１９の構成について説明する。
【０１８３】
（データ取得部）
データ取得部２１９ａは、サーカディアンリズムを調整するため、現在地検出部２２０と連動して、ユーザの位置情報を取得し、当該ユーザの所在地を特定する。そして、データ取得部２１９ａは、照射期間を設定するための情報として、当該特定した所在地における日の出日時及び日の入り日時を含む日照情報（すなわち、気象データ）を取得する。
【０１８４】
特に、データ取得部２１９ａは、日照情報を、ネットワーク通信部２１１を介して、情報管理サーバ装置３０又は気象データ管理用のサーバ装置（図示しない）から取得する。
【０１８５】
なお、日照情報の取得方法は任意であり、例えば、データ取得部２１９ａは、ネットワークＮ上に設けられた気象情報管理用のサーバ装置に対してユーザの所在地を送信し、当該送信した所在地の情報に基づいて、当該所在地に対応する日照情報を取得してもよい。
【０１８６】
（行動予定データ生成部）
行動予定データ生成部２１９ｂは、該当するユーザのスケジューラに基づき、当該ユーザの行動予定データを生成する。
【０１８７】
特に、行動予定データ生成部２１９ｂは、表示部２１４に希望就寝日時と睡眠禁止期間を含む行動予定を入力させるための画面を表示させつつ、当該画面及びユーザが操作部２１７に対して行った入力操作に基づいて、睡眠禁止期間及び希望就寝日時含む行動予定データを生成する。
【０１８８】
そして、行動予定データ生成部２１９ｂは、生成した行動予定データを行動予定データ記憶部２１３ｄに記憶させる。
【０１８９】
例えば、行動予定データ生成部２１９ｂは、
（１）ユーザに睡眠禁止期間の開始日時と終了日時を指定させることによって、ユーザによって指定された開始日時から終了日時までが睡眠禁止期間に設定し、又は、
（２）睡眠禁止期間の終了日時のみをユーザに指定させ、ユーザの指定した期限から所定時間（例えば、２４時間）前の日時までを自動的に睡眠禁止期間に設定し、
行動予定データを生成する。
【０１９０】
なお、上記の（２）の睡眠禁止期間の設定に関しては、睡眠禁止期間の終了日時の何時間前までを睡眠禁止期間に設定するのかをユーザが自由に選択させることが望ましい。
【０１９１】
すなわち、例えば、行動予定データ生成部２１９ｂは、二交代制又は三交代制の業務に従事しているユーザに関しては、自身の勤務形態に合わせた勤務期間（三交代制であれば、８時間、二交代制であれば１２時間等）を予め設定させ、シフトの終了日時のみを入力させることにより、簡単な操作で、自身の勤務時間帯を自動的に睡眠禁止期間として設定する。
【０１９２】
（照射期間設定部）
照射期間設定部２１９ｃは、生成された行動予定データに基づいて、ＢＬ及びＶＬの照射期間を設定する。このとき、照射期間設定部２１９ｃは、行動予定データに睡眠禁止期間が含まれているか否かに応じて、以下のような処理を行い、照射期間を設定する。
【０１９３】
（Ａ）行動予定データに睡眠禁止期間が含まれる場合
この場合には、照射期間設定部２１９ｃは、行動予定データに含まれる希望就寝日時情報を無視して、睡眠禁止期間をそのまま、照射期間に設定する。なお、この場合には、睡眠禁止期間の全期間にわたって、条件データにより規定される放射照度にてＶＬ及びＢＬがユーザの眼に照射され、上記覚醒機能が実現される。
【０１９４】
（Ｂ）行動予定データに希望就寝日時情報のみが含まれる場合
この場合には、照射期間設定部２１９ｃは、当該希望就寝日時に基づき、ユーザの眼に対するＶＬ及びＢＬの照射開始時刻と、照射終了時刻を設定する。
【０１９５】
例えば、照射期間設定部２１９ｃは、ユーザが起床した時刻を特定し、当該特定した起床時刻から正午までの期間（以下、「起床後午前期間」ともいう。）を算出し、当該算出した起床後午前期間を照射期間に設定する。
【０１９６】
特に、サーカディアンリズムを正常な状態に維持及び調整するためには、起床から正午までの時間帯に太陽光を浴びて、ＢＬ及びＶＬをユーザの眼に照射することが望ましく、より好ましくは起床から正午までの時間帯の全てにおいて太陽光を浴びてＢＬ及びＶＬを吸収することが望ましい。
【０１９７】
また、照射期間設定部２１９ｃは、ユーザが起床した時刻としては、例えば、ユーザが操作部２１７に対して所定の入力操作を行った時刻を検出し、当該検出した時刻を起床時刻として特定してもよいし、起床アラームをユーザに設定させ、当該アラームが解除された時刻を起床時刻と特定してもよい。
【０１９８】
ただし、本実施形態においては、説明を具体化するため、ユーザが通信端末装置２０を枕元に置いた状態にしておき、センサ部２２２にてユーザの起き上がった際の振動を検出し、ユーザの起床日時を特定するものとして説明を行う。
【０１９９】
例えば、ユーザが２０１７年１２月１日７時４５分に起床した場合に、通信端末装置２０は、起床後午前期間を４時間１５分と算出し、照射期間を４時間１５分に設定する。
【０２００】
なお、人間の体内においては、起床後に太陽光を浴びてから、約１３〜１５時間程度経過したときに松果体におけるメラトニン濃度が上昇し、眠気を催すことが広く知られているため、本実施形態の照射期間設定部２１９ｃは、希望就寝日時に眠気を催すように、ユーザが設定した希望就寝日時から１４時間前の時刻を照射開始時刻に設定してもよい。
【０２０１】
例えば、希望就寝日時として２０１７年１２月１日２４時００分が設定されている場合に、照射期間設定部２１９ｃは、その１４時間前の２０１７年１２月１日１０時００分を照射開始日時に設定する。
【０２０２】
また、本実施形態の照射期間設定部２１９ｃは、照射終了時刻として、照射開始日時から起床後午前期間経過後の日時を設定してもよい。
【０２０３】
例えば、上記例のように起床後午前期間が４時間１５分である場合に、希望就寝日時が、２０１７年１２月１日２４時００分に設定されていると、照射期間設定部２１９ｃは、照射開始日時をその１４時間前の２０１７年１２月１日１０時００分に設定するとともに、その４時間１５分後の２０１７年１２月１日１４時１５分を照射終了日時に設定する。
【０２０４】
一方、サーカディアンリズムを正常な状態に整え、心身の健康を維持及び増進するためには、睡眠禁止期間が設定されている場合を除き、ユーザの眼に対して日中の時間帯（すなわち、日の出から日の入りまでの時間帯）にＢＬ及びＶＬを照射することが望ましい。
【０２０５】
特に、徹夜業務明け等の場合には、短期間（例えば、１日〜数日）で、強制的にサーカディアンリズムを調整して、普段の生活リズムに戻すことが心身の健康を維持及び増進する上で重要となる。
【０２０６】
そして、このような場合に、日の入り以降にＢＬ及びＶＬをユーザの眼に照射すると、普段の就寝時刻にメラトニンの分泌量が増えず、短期間に普段の生活リズムに戻すことが難しくなる可能性がある。
【０２０７】
そこで、本実施形態において照射期間設定部２１９ｃは、データ取得部２１９ａにより取得された日照情報に基づき、ユーザの所在地における日の入りの日時を特定し、照射開始日時から日の入りまでの間に起床後午前期間に等しい照射期間を確保できない場合には、日の入りの日時を照射終了日時に設定し、ＢＬ及びＶＬの照射期間を短縮している。
【０２０８】
この構成により、本実施形態において照射期間設定部２１９ｃは、日の入り後の時間帯にＶＬ及びＢＬがユーザの眼に照射されることを防止することができるので、サーカディアンリズムの乱れを短期間で正すことができるようになっている。
【０２０９】
（照射制御部）
照射制御部２１９ｄは、タイマ２１８と連動しつつ、照射期間設定部２１９ｃにより設定された照射開始日時の到来を検出すると、ウェアラブルデバイス１０に対して、照射開始コマンドを送信し、光源１１及び１２のＬＥＤ１１Ｂ、１１Ｖ、１２Ｂ及び１２Ｖを発光させる。
【０２１０】
このとき、照射制御部２１９ｄは、照射制御データ記憶部２１３ｃに記憶された条件データを読み出し、条件データにより規定された放射照度（すなわち、ＢＬが１６０μＷ／ｃｍ２、ＶＬが８０μＷ／ｃｍ２）を指定した照射開始コマンドを、Ｉ／Ｏインターフェース部２１２を介して、ウェアラブルデバイス１０に送信するようになっている。
【０２１１】
また、照射制御部２１９ｄは、照射終了日時の到来を検出すると、照射終了コマンドをウェアラブルデバイス１０に送信して、ＬＥＤ１１Ｂ、１１Ｖ、１２Ｂ及び１２Ｖを消灯させる。
【０２１２】
さらに、照射制御部２１９ｄは、照射期間設定部２１９ｃにより設定された照射期間及び条件データに基づき照射履歴データを生成して、照射履歴データ記憶部２１３ｂに記憶させる。
【０２１３】
（送信処理部）
送信処理部２１９ｅは、所定のタイミング（例えば、毎日２４時、毎週日曜日の２４時等）にて、ネットワーク通信部２１１と連動して、照射履歴データ記憶部２１３ｂに記憶された照射履歴データと行動予定データ記憶部２１３ｄに記憶された行動予定データを情報管理サーバ装置３０にアップロードするための処理を実行する。
【０２１４】
このとき、送信処理部２１９ｅは、通信システムＳにおいて各ユーザを識別するためのユーザＩＤをこれらのデータと対応付けてアップロードするようになっている。
【０２１５】
なお、情報管理サーバ装置３０は、このようにして通信端末装置２０からアップロードされた照射履歴データ及び行動予定データをユーザＩＤと対応付けて管理し、後に医師や親、その他の保護責任者によるアドバイス等に用いる際に各データがどのユーザに対応したものであるのかを特定可能に管理する。
【０２１６】
［４．５］通信端末装置の動作
次に、図１０を用いて、本実施形態の通信端末装置２０において実行される処理について説明する。なお、図１０は、本実施形態の通信端末装置２０のアプリケーション実行部２１９において実行される処理を示すフローチャートである。
【０２１７】
まず、本実施形態の通信端末装置２０においては、行動予定データ生成部２１９ｂは、行動予定データ生成処理を実行することによって、行動予定データを生成し、当該生成した行動予定データを行動予定データ記憶部２１３ｄに記憶させる（ステップＳａ１）。
【０２１８】
次いで、照射期間設定部２１９ｃは、当該行動予定データに含まれる希望就寝日時及び睡眠禁止期間を抽出する（ステップＳａ２）。
【０２１９】
次いで、照射期間設定部２１９ｃは、照射期間設定処理を実行して、ＢＬ及びＶＬの照射期間を設定する（ステップＳａ３）。
【０２２０】
なお、この際の動作は、上記と同様であり、行動予定データに睡眠禁止期間が含まれている場合には、当該期間を、そのまま照射期間に設定するとともに、照射期間が含まれていない場合には、希望就寝日時の１４時間前を照射開始時刻に設定しつつ、起床後午前期間を算出して、照射終了時刻を設定する。
【０２２１】
また、このとき、照射制御部２１９ｄは、タイマ２１８と連動して、現在時刻を検出させ、照射開始時刻の到来を待機する状態に移行する。
【０２２２】
次いで、照射制御部２１９ｄは、照射開始日時が到来すると（ステップＳａ４）、条件データを読み出し（ステップＳａ５）、当該条件データにて規定された放射照度を指定した照射開始コマンドをＩ／Ｏインターフェース部２１２を介してウェアラブルデバイス１０に送信する（ステップＳａ６）。
【０２２３】
この結果、ウェアラブルデバイス１０においては、ＣＰＵ１５０が、照射開始コマンドにて指定される放射照度に基づき、右眼用光源駆動回路１１０及び左眼用光源駆動回路１２０に制御信号を出力して、光源１１及び１２に内蔵されたＬＥＤ１１Ｂ、１１Ｖ、１２Ｂ、１２Ｖを発光させるとともに、照射終了コマンドを受信するまでＶＬ及びＢＬの照射を継続させる。
【０２２４】
次いで、照射制御部２１９ｄは、照射終了日時が到来すると（ステップＳａ７）、照射終了コマンドを生成して、ウェアラブルデバイス１０に送信し（ステップＳａ８）、ウェアラブルデバイス１０において光源１１及び１２を消灯させる（ステップＳａ９）。
【０２２５】
次いで、照射制御部２１９ｄは、照射履歴データを生成し、照射履歴データ記憶部２１３ｂに記憶させた後（ステップＳａ１０）、処理を終了する。
【０２２６】
以上説明したように、本実施形態の通信システムＳは、ユーザが睡眠禁止期間を設定すると、当該期間中、ＶＬ及びＢＬをユーザの眼に照射することができるので、業務により睡眠時間を確保できないような場合に、眠気を催すことを防止して、業務効率を向上させ、業務上のミスの発生を防止することができる。
【０２２７】
また、本実施形態の通信システムＳは、ユーザの設定した希望就寝日時に応じて、照射開始時刻及び照射終了時刻を設定し、当該設定した照射開始時刻から照射終了時刻までＶＬ及びＢＬをユーザの眼に照射することができるので、ユーザの希望する就寝時に眠気を催すようにユーザのサーカディアンリズムを調整することができる。
【０２２８】
さらに、本実施形態の通信システムＳは、太陽光に含まれるＶＬ及びＢＬの割合にて、ユーザの眼にＶＬ及びＢＬを照射する構成になっているので、サーカディアンリズムの調整効果を向上させることができる。
【０２２９】
［５］第５実施形態
次に、本願に係る生体リズム調整装置又は生体リズム調整システムの第５実施形態について説明する。
【０２３０】
本実施形態は、第４実施形態における睡眠禁止期間などが設定されたスケジュールを用いてＶＬ及びＢＬの照射制御する点に代えて、時差のある国や地域（以下、「国等」という。）への渡航予定に基づいてＶＬ及びＢＬの照射制御する点に特徴があり、その他の構成は第４実施形態と共通するため、同一の部材については同一の符号を付してその説明を省略する。
【０２３１】
特に、本実施形態の生体リズム調整システムとしての通信システムＳは、渡航先の国等の時間帯に合わせて、ユーザの眼にＶＬ及びＢＬを照射する照射制御を実行することによって、移動後にジェットラグ症候群を発症することを防止し、又は、抑制するためのシステムである。
【０２３２】
すなわち、本実施形態の通信システムＳは、時差のある国等への移動時にジェットラグ症候群の発生を防止するためには、移動先の日時にユーザのサーカディアンリズムを同調させるために、ユーザの眼にＶＬ及びＢＬを照射する照射制御を実行する構成を有している。
【０２３３】
具体的には、本実施形態の通信システムＳ及び当該通信システムＳを構成するウェアラブルデバイス１０は、第１実施形態及び第２実施形態を含む、第４実施形態と同様の構成を有している。
【０２３４】
また、通信端末装置２０は、アプリケーション実行部２１９を除き、第４実施形態と同様の構成を有している。
【０２３５】
具体的には、本実施形態のアプリケーション実行部２１９における行動予定データ生成部２１９ｂは、該当するユーザの行動予定データを生成する際に、移動先の国等と、出発予定日時、到着予定日時等の情報を含む渡航予定情報を入力させるための画面を表示部２１４に表示させる。
【０２３６】
そして、行動予定データ生成部２１９ｂは、データ取得部２１９ａと連動し、当該画面及びユーザが操作部２１７に対して行った入力操作に基づいて、情報管理サーバ装置３０又はネットワークＮ上の航空機運行管理用サーバ装置（図示しない）から移動先の国等と、出発予定日時及び到着予定日時等の情報を渡航予定情報として取得する。
【０２３７】
なお、本実施形態においては、移動先の国等はプルダウン方式にてユーザに選択させるようにしてもよく、文字列として入力させるようにしてもよい。また、便名及び航空会社名等をユーザに入力させ、これらの情報に基づいて移動先の国等、出発予定日時及び到着予定日時等の情報を含む渡航予定情報を取得してもよい。
【０２３８】
また、本実施形態のアプリケーション実行部２１９における照射期間設定部２１９ｃは、渡航予定情報に基づき、移動先の午前中（例えば、６時００〜１１時５９分）にあたる時間帯を特定し、当該時間帯を照射期間に設定する。
【０２３９】
具体的には、照射期間設定部２１９ｃは、渡航予定情報に基づき、移動先の国等における午前中の時間帯を特定する。
【０２４０】
例えば、照射期間設定部２１９ｃは、移動先の国等における現在日時をネットワークＮ上のサーバ装置（図示しない）から取得し、通信端末装置２０のタイマ２１８に内蔵された時計を現地時間にセットし、移動先の現地時間における午前中の時間帯を特定してもよい。
【０２４１】
また、例えば、照射期間設定部２１９ｃは、ネットワークＮ上のサーバ装置から移動元の国等における日時と移動先の国等における日時の時差に関する情報を取得し、当該時差の情報に基づき、移動先の国等における午前中の時間帯を特定してもよい。
【０２４２】
なお、照射制御部２１９ｄが、他の実施形態と同様に、設定された照射期間中、条件データにより規定される放射照度にてＶＬ及びＢＬがユーザの眼に照射されるようにウェアラブルデバイス１０における光源１１及び１２の発光を制御する。
【０２４３】
以上説明したように、本実施形態の通信システムＳは、ユーザが時差のある地域に渡航した場合においても、移動先の国等における午前中の時間帯にＶＬ及びＢＬを照射することができるので、移動先の時間帯にユーザのサーカディアンリズムを強制的に同調させ、現地到着時におけるジェットラグ症候群の発症を効果的に抑制することができるので、移動後におけるユーザの円滑な行動を実現することができる。
【０２４４】
特に、メラトニンは、２１時前後から９時前後にかけて分泌され、その間、光に対する反応性が高い傾向にあるので、本実施形態の通信システムＳは、移動先の現地時刻における６時から９時の時間帯を照射期間に設定し、当該照射期間中、ＶＬ及びＢＬを照射することによって、サーカディアンリズムを現地の日時に同調させ、ジェットラグ症候群の発症をより効果的に抑制することができる。
【０２４５】
［７］変形例
［７．１］変形例１
本変形例においては、単にサーカディアンリズムを正常な状態に整える場合には、午前中の時間帯、特に９時００分以前にＢＬ及びＶＬを照射するようにしてもよい。
【０２４６】
上記各実施形態においては、（１）ユーザの設定及び（２）ユーザの行動予定のいずれかに応じて、照射開始日時及び照射終了日時と、を設定し、当該設定された照射開始日時から終了日時までＢＬ及びＶＬを照射させる構成を採用していた。
【０２４７】
しかしながら、メラトニンは、２１時前後から９時前後にかけて分泌され、その間、光に対する反応性が高い傾向にあるので、９時前にＶＬ及びＢＬを照射することで、よりよいサーカディアンリズムの調整機能を実現することができる。
【０２４８】
この場合には、ユーザが起床後、ウェアラブルデバイス１０を装着し、通信端末装置２０に対して所定の入力操作を行ったタイミングで、当該通信端末装置２０は、条件データに基づき、ウェアラブルデバイス１０におけるＢＬ及びＶＬの照射制御を実行する。
【０２４９】
具体的には、通信端末装置２０は、
（１）条件データに基づいて、照射開始コマンドをウェアラブルデバイス１０に送信するとともに、光源１１及び１２を発光させつつ、太陽光に含まれる割合にてＶＬ及びＢＬを照射する照射制御を実行し、
（２）正午になった時点で照射終了コマンドをウェアラブルデバイス１０に送信して光源１１及び１２を消灯させる制御を実行する。
【０２５０】
また、日の入り前の所定時間、ＢＬ及びＶＬをユーザの眼に照射させる構成としてもよい。この場合には、通信端末装置２０がネットワークＮを介して日照情報を取得するとともに、当該日照情報に基づき、日の入りの日時を特定し、当該日の入り日時まで、条件データに基づき、太陽光の割合でＢＬ及びＶＬを照射するようにすればよい。
【０２５１】
［７．２］変形例２
上記実施形態第１〜第４実施形態においては、ウェアラブルデバイス１０を眼鏡型に構成する場合の例を説明したが、光源１１及び１２と同様の構成を有する光源を腕時計型のウェアラブルデバイスやコンタクトレンズ型のウェアラブルデバイス、ユーザが装着可能な照明機器に設け、通信端末装置２０を用いて光源の発光を制御する構成を採用するようにしてもよい。
【０２５２】
すなわち、ユーザの身体の一部に装着又は装備して、ＢＬ及びＶＬをユーザの眼に照射できれば、ウェアラブルデバイス１０の形状は問わない。
【０２５３】
また、光源１１及び１２を通信端末装置２０に設け、ＢＬ及びＶＬをユーザの眼に向けて照射するようにしてもよい。
【０２５４】
さらに、光源１１及び１２を例えば照明機器や建物内のいずれかの場所に設置し、通信端末装置２０によりＶＬ及びＢＬの照射を制御するようにしてもよい。
【０２５５】
この場合には、光源１１からユーザの眼に照射されるまでにＶＬ及びＢＬが減衰するため、メガネ型のウェアラブルデバイスの場合のような光源から眼までの距離が短いときと比べて、光源にはより強いパワーが必要となる。
【０２５６】
また、この場合においては、上記各実施形態と同様に、太陽光と同程度の割合（ＢＬをＶＬの２倍程度となる割合）にてユーザの眼にＶＬ及びＢＬを照射し、サーカディアンリズムの調整機能を向上させることができるようになっている
【０２５７】
以上、本発明によれば、生活環境や仕事環境が変化した現代社会において、サーカディアンリズムを調整し、心身の健康を維持及び増進することができる。
【符号の説明】
【０２５８】
１  …  生体リズム調整装置
Ｓ  …  通信システム
１０  …  ウェアラブルデバイス
１１、１２  …  光源
１１Ｖ、１２Ｖ  …  ＶＬ照射用ＬＥＤ
１１Ｂ、１２Ｂ  …  ＢＬ照射用ＬＥＤ
２０  …  通信端末装置
３０  …  情報管理サーバ装置
４０  …  ＧＰＳ衛星
１００  …  生体リズム調整システム
１１０  …  右眼用光源駆動回路
１２０  …  左眼用光源駆動回路
１３０  …  操作部
１４０  …  ＲＯＭ／ＲＡＭ
１５０  …  ＣＰＵ
２１１  …  ネットワーク通信部
２１２  …  Ｉ／Ｏインターフェース部
２１３  …  記憶部
２１３ａ  …  アプリケーション記憶部
２１３ｂ  …  照射履歴データ記憶部
２１３ｃ  …  照射制御データ記憶部
２１３ｄ  …  行動予定データ記憶部
２１３ｅ  …  ＲＡＭ
２１４  …  表示部
２１５  …  表示制御部
２１６  …  装置管理制御部
２１７  …  操作部
２１８  …  タイマ
２１９  …  アプリケーション実行部
２１９ａ  …  データ取得部
２１９ｂ  …  行動予定データ生成部
２１９ｃ  …  照射期間設定部
２１９ｄ  …  照射制御部
２１９ｅ  …  送信処理部
２２０  …  現在地検出部
２２２  …  センサ部
【図１】
2020010775.tif 000004
【図２】
2020010775.tif 000005
【図３】
2020010775.tif 000006
【図４】
2020010775.tif 000007
【図５】
2020010775.tif 000008
【図６】
2020010775.tif 000009
【図７】
2020010775.tif 000010
【図８】
2020010775.tif 000011
【図９】
2020010775.tif 000012
【図１０】
2020010775.tif 000013